(57)【要約】【課題】表示パネルの平坦度を向上させることができる表示装置を提供する。【解決手段】本発明の実施形態に係る表示装置は第１方向に延長し、前記第１方向と交差する第２方向に互いに対向する第１ガイド部材及び第２ガイド部材、前記第１ガイド部材及び前記第２ガイド部材の間に配置された表示パネル、前記表示パネルの一部を支持する支持部材、前記支持部材を移動させる第１駆動ユニット、及び前記表示パネルの一端に連結されて前記表示パネルを巻き取り、又は巻き出す第２駆動ユニットを含み、前記支持部材の両側は互いに対向する前記第１ガイド部材の内側面及び前記第２ガイド部材の内側面に定義されたガイド溝に挿入され、前記支持部材は前記ガイド溝に沿って移動する。【選択図】図１
2020030404.tif 000002
【特許請求の範囲】
【請求項１】
第１方向に延長し、前記第１方向と交差する第２方向に互いに対向する第１ガイド部材及び第２ガイド部材と、
前記第１ガイド部材及び前記第２ガイド部材の間に配置された表示パネルと、
前記表示パネルの一部を支持する支持部材と、
前記支持部材を移動させる第１駆動ユニットと、
前記表示パネルの一端に連結されて前記表示パネルを巻き取り、又は巻き出す第２駆動ユニットと、を含み、
前記支持部材の両側は、互いに対向する前記第１ガイド部材の内側面及び前記第２ガイド部材の内側面に定義されたガイド溝に挿入され、
前記支持部材は、前記ガイド溝に沿って移動する、表示装置。
【請求項２】
前記第１駆動ユニット及び前記第２駆動ユニットは、前記第１方向に配列され、前記第２方向に延長して前記第１ガイド部材及び前記第２ガイド部材に連結される、請求項１に記載の表示装置。
【請求項３】
前記第１駆動ユニット及び前記第２駆動ユニットは、前記第２方向に平行である回転軸を中心に同じ方向に回転する、請求項１に記載の表示装置。
【請求項４】
前記第２方向に延長し、前記第１ガイド部材の一端及び前記第２ガイド部材の一端に連結された第３ガイド部材と、
前記第２方向に延長し、前記第１ガイド部材の他端及び前記第２ガイド部材の他端に連結された第４ガイド部材と、をさらに含み、
前記第２駆動ユニットは、前記第１駆動ユニットより前記第４ガイド部材にさらに隣接し、
前記第２駆動ユニットに連結された前記表示パネルは、前記第３ガイド部材に向かって配置され、
前記ガイド溝は、前記第１駆動ユニットに隣接する領域から前記第３ガイド部材に向かって延長する、請求項１に記載の表示装置。
【請求項５】
前記表示パネルは、
前記第１ガイド部材及び前記第２ガイド部材に沿って移動し、外部に露出された第１部分と、
前記第１部分から延長し、前記外部に露出されずに前記第２駆動ユニットに巻き取られた第２部分と、を含み、
前記支持部材は、前記第１部分の下部に配置されて前記第１部分を支持し、前記第２部分と分離される、請求項４に記載の表示装置。
【請求項６】
前記第１部分上に配置されて前記第１部分に接触し、前記第２部分と分離されたウインドウと、
前記第２部分と分離された前記ウインドウの一端に連結されて前記第２部分と分離された前記ウインドウの部分を巻き取る第３駆動ユニットをと、さらに含み、
前記第１駆動ユニット、前記第２駆動ユニット、及び前記第３駆動ユニットは、前記第１方向に配列され、前記第２方向に延長し、前記第２方向に平行である回転軸を中心に同じ方向に回転し、
前記第３駆動ユニットは、前記第２駆動ユニットより前記第４ガイド部材にさらに隣接する、請求項５に記載の表示装置。
【請求項７】
前記表示パネルの他端、前記ウインドウの他端、及び前記表示パネルの前記他端に重畳する前記支持部材の終端を相互固定し、前記第１ガイド部材及び前記第２ガイド部材に沿って移動する結合部をさらに含む、請求項６に記載の表示装置。
【請求項８】
前記表示パネルの上面及び前記表示パネルの上面と対向する前記ウインドウの下面に各々配置された機能性層をさらに含む、請求項６に記載の表示装置。
【請求項９】
前記機能性層は、弗素を含む、請求項８に記載の表示装置。
【請求項１０】
前記ガイド溝は、
前記第１方向に延長する第１延長部と、
前記第１延長部の下部に配置され、前記第１方向に延長し、前記第１延長部より小さい長さを有する第２延長部と、
前記第１方向に延長し、前記第１延長部より小さい長さを有し、前記第１延長部と前記第２延長部との間に配置された第３延長部と、
前記第１延長部の一端から前記第２延長部の一端まで曲線形状を有して延長する第１曲線部と、
前記第２延長部の他端から前記第３延長部の一端の反対端である前記第３延長部の他端まで曲線形状を有して延長する第２曲線部と、を含み、
前記第１延長部、前記第２延長部、及び前記第３延長部の前記一端は、前記第１駆動ユニットに隣接し、
前記第１曲線部の屈曲の方向は、前記第２曲線部の屈曲の方向と反対であり、
前記第１駆動ユニットは、前記第１曲線部に隣接する、請求項１に記載の表示装置。
【請求項１１】
前記支持部材は、前記第２方向に延長し、前記第１方向に配列され、互いに回転されるように結合された複数のジョイントユニットを含む、請求項１０に記載の表示装置。
【請求項１２】
前記表示パネルの下面及び前記ジョイントユニットの表面に配置された磁性層をさらに含む、請求項１１に記載の表示装置。
【請求項１３】
前記磁性層は、フェライト又は希土類を含む、請求項１２に記載の表示装置。
【請求項１４】
前記第１駆動ユニットは、
前記第２方向に延長する回転軸ユニットと、
前記回転軸ユニットの所定部分の外周面上に配置されたギヤ部と、を含み、
前記複数のジョイントユニットの一部は、前記第１曲線部で前記ギヤ部の突起が挿入される開口部を含む、請求項１１に記載の表示装置。
【請求項１５】
前記第１方向を基準にして定義される前記ギヤ部の前記突起の幅は、前記第１方向を基準にして定義される前記開口部の幅より小さい、請求項１４に記載の表示装置。
【請求項１６】
前記ジョイントユニットは、
前記第２方向に延長する本体部と、
前記第１方向に前記本体部の一端から突出された第１突出部と、
前記第１方向に前記本体部の他端の上端及び下端から各々突出された第２突出部及び第３突出部と、
前記第２突出部及び前記第３突出部の間に定義された溝部と、を含み、
ｈ番目のジョイントユニットの前記第１突出部は、ｈ＋１番目のジョイントユニットの前記溝部に挿入され、
前記開口部は、前記本体部の所定部分から前記第１方向に前記第１突出部の終端まで延長されて定義される、請求項１４に記載の表示装置。
【請求項１７】
前記第１方向を基準にして前記第２突出部の幅は、前記第３突出部の幅より大きい、請求項１６に記載の表示装置。
【請求項１８】
前記ｈ＋１番目のジョイントユニットの前記第３突出部の終端と前記ｈ番目のジョイントユニットの前記本体部の下端との間の第１間隔は、前記ｈ＋１番目のジョイントユニットの前記第２突出部の終端と前記ｈ番目のジョイントユニットの前記本体部の上端との間の第２間隔より大きい、請求項１６に記載の表示装置。
【請求項１９】
前記第１突出部は、
前記本体部の前記一端から前記第１方向に延長し、前記第２方向から見た場合に、上面及び下面が凹んだ形状を有する凹部と、
前記凹部から前記第１方向に延長し、前記第２方向から見た場合、楕円形状を有する凸部と、を含み、
前記溝部は、前記凹部及び前記凸部に対応する形状を有する、請求項１６に記載の表示装置。
【請求項２０】
前記第２突出部と前記第３突出部は、前記第１方向を基準にして同じ幅を有し、互いに対称な形状を有する、請求項１６に記載の表示装置。
【発明の詳細な説明】
【技術分野】
【０００１】
本発明は表示装置に係る。
【背景技術】
【０００２】
使用者に映像を提供するスマートフォン、デジタルカメラ、ノート型コンピューター、ナビゲーション、及びスマートテレビジョン等の電子機器は映像を表示するための表示装置を含む。表示装置は映像を生成して表示画面を通じて使用者に提供する。
【０００３】
最近、表示装置の技術発達と共に多様な形態の表示装置が開発されている。例えば、フォールディングされるか、或いは巻き取れるフレキシブル表示装置等が開発されている。形状が多様に変更されることができるフレキシブル表示装置は携帯が容易であり、使用者の便宜性を向上させることができる。
【０００４】
フレキシブル表示装置はフレキシブル表示パネルを含み、フレキシブル表示パネルは回転する駆動部によって巻き取れるか、又は巻き出されることができる。しかし、ローリングされたフレキシブル表示パネルを巻き出すとき、表示パネルが平らに維持されないことがある。したがって、巻き出された表示パネルの平坦度を改善するための技術が要求される。
【先行技術文献】
【特許文献】
【０００５】
【特許文献１】米国特許第９，９４０，８９２号公報
【特許文献２】米国特許公開第２０１６／０１４３１６２号明細書
【発明の概要】
【発明が解決しようとする課題】
【０００６】
本発明の目的は表示パネルの平坦度を向上させることができる表示装置を提供することにある。
【課題を解決するための手段】
【０００７】
本発明の実施形態に係る表示装置は第１方向に延長し、前記第１方向と交差する第２方向に互いに対向する第１ガイド部材及び第２ガイド部材と、前記第１ガイド部材及び前記第２ガイド部材の間に配置された表示パネルと、前記表示パネルの一部を支持する支持部材と、前記支持部材を移動させる第１駆動ユニットと、前記表示パネルの一端に連結されて前記表示パネルを巻き取り、又は巻き出す第２駆動ユニットと、を含み、前記支持部材の両側は互いに対向する前記第１ガイド部材の内側面及び前記第２ガイド部材の内側面に定義されたガイド溝に挿入され、前記支持部材は前記ガイド溝に沿って移動する。
【０００８】
本発明の実施形態に係る表示装置は表示パネルと、前記表示パネルの下部に配置された支持部材と、前記支持部材の所定部分に結合されて前記支持部材を移動させる第１駆動ユニットと、前記表示パネルの一端に連結されて前記表示パネルを巻き取り、又は巻き出す第２駆動ユニットと、前記巻き出された表示パネル上に配置され、前記巻き取られた表示パネルと分離されたウインドウと、前記表示パネルと分離された前記ウインドウの一端に連結されて前記表示パネルと分離された前記ウインドウの部分を巻き取る第３駆動ユニットと、を含み、前記支持部材は前記巻き出された表示パネルを支持し、前記第２駆動ユニットは前記第１駆動ユニットと前記第３駆動ユニットとの間に配置され、前記第１、第２、及び第３駆動ユニットは同じ方向に回転する。
【０００９】
本発明の実施形態に係る表示装置は互いに対向する第１ガイド部材及び第２ガイド部材と、前記第１ガイド部材及び前記第２ガイド部材の間に配置された表示パネルと、前記表示パネルの一部を支持し互いに回転するように結合された複数のジョイントユニットと、前記複数のジョイントユニットを移動させる第１駆動ユニットと、前記表示パネルの一端に連結されて前記表示パネルを巻き取り、又は巻き出す第２駆動ユニットを含み、前記複数のジョイントユニットの両側は互いに対向する前記第１ガイド部材の内側面及び前記第２ガイド部材の内側面に定義されたガイド溝に挿入され、前記複数のジョイントユニットは前記ガイド溝に沿って移動する。
【発明の効果】
【００１０】
本発明の実施形態に係る表示装置は第１ガイド部材及び第２ガイド部材の間に配置された表示パネルを支持する支持部材を含み、支持部材は第１及び第２ガイド部材に定義されたガイド溝に沿って移動する。ガイド溝によって支持された支持部材は露出領域を拡大するために巻き出された表示パネルをより平坦に支持することができる。
【図面の簡単な説明】
【００１１】
【図１】本発明の実施形態による表示装置の斜視図である。
【図２】図１に図示された表示装置を正面から見た表示装置の正面図であって、図１に図示された表示モジュールの露出領域の可変状態を示す図面である。
【図３】図１に図示された表示装置を正面から見た表示装置の正面図であって、図１に図示された表示モジュールの露出領域の可変状態を示す図面である。
【図４】図１に図示された表示装置を正面から見た表示装置の正面図であって、図１に図示された表示モジュールの露出領域の可変状態を示す図面である。
【図５】図１に図示されたケース内に収容される表示モジュール及びガイド部材を示した図面である。
【図６】図５に図示された表示モジュールの断面を概略的に示す図面である。
【図７】図６に図示された画素層に配置される一画素の等価回路を例示的に示した図面である。
【図８】図７に図示された画素の断面を例示的に示した図面である。
【図９】図７に図示された画素の断面を例示的に示した図面である。
【図１０】図５に図示されたガイド部材及びガイド部材に連結された駆動ユニットを示した図面である。
【図１１】図１０に図示された第１駆動ユニットを示した図面である。
【図１２】図１０に図示された第１ガイド部材の内側面を示した図面である。
【図１３】図５に図示されたガイド部材に配置される支持部材の構成を示した図面である。
【図１４】図１３に図示されたＩ−Ｉ’線の断面図である。
【図１５】図１３に図示された支持部材が第１及び第２ガイド部材に配置された構成を示す図面である。
【図１６】ギヤ部の突起が開口部に挿入された構成を示すための断面図である。
【図１７】図１５に図示された第２及び第３駆動ユニットに連結された表示モジュールを示した図面である。
【図１８】図１５に図示された支持部材に表示モジュールが配置された状態を例示的に示す断面図である。
【図１９】図１８に図示された第１、第２、及び第３駆動ユニットの回転に応じて移動する支持部材及び表示モジュールを示した図面である。
【図２０】図１８に図示された表示パネルの上面及びウインドウの下面上に配置された機能性層を示す図面である。
【図２１】図１８に図示された表示パネルの下面とジョイントユニットの各々の表面上に配置された磁性層を示す図面である。
【図２２】本発明の他の実施形態に係る表示装置のガイド溝及びジョイントユニットの多様な実施形態及び第３駆動ユニットの多様な配置位置を示した図面である。
【図２３】本発明の他の実施形態に係る表示装置のガイド溝及びジョイントユニットの多様な実施形態及び第３駆動ユニットの多様な配置位置を示した図面である。
【図２４】本発明の他の実施形態に係る表示装置のガイド溝及びジョイントユニットの多様な実施形態及び第３駆動ユニットの多様な配置位置を示した図面である。
【図２５】本発明の他の実施形態に係る表示装置のガイド溝及びジョイントユニットの多様な実施形態及び第３駆動ユニットの多様な配置位置を示した図面である。
【図２６】本発明の他の実施形態に係る表示装置のガイド溝及びジョイントユニットの多様な実施形態及び第３駆動ユニットの多様な配置位置を示した図面である。
【図２７】本発明の他の実施形態に係る表示装置のガイド溝及びジョイントユニットの多様な実施形態及び第３駆動ユニットの多様な配置位置を示した図面である。
【図２８】本発明の他の実施形態に係る表示装置のガイド溝及びジョイントユニットの多様な実施形態及び第３駆動ユニットの多様な配置位置を示した図面である。
【図２９】本発明の他の実施形態に係る表示装置のガイド溝及びジョイントユニットの多様な実施形態及び第３駆動ユニットの多様な配置位置を示した図面である。
【図３０】本発明の他の実施形態に係る表示装置のガイド溝及びジョイントユニットの多様な実施形態及び第３駆動ユニットの多様な配置位置を示した図面である。
【図３１】本発明の他の実施形態に係る表示装置のガイド溝及びジョイントユニットの多様な実施形態及び第３駆動ユニットの多様な配置位置を示した図面である。
【発明を実施するための形態】
【００１２】
本明細書で、ある構成要素（又は領域、層、部分等）が他の構成要素“上にある”、“連結される”、又は“結合される”と言及される場合に、それは他の構成要素上に直接配置／連結／結合されることができ、或いはこれらの間に第３の構成要素が配置されることもできることを意味する。
【００１３】
同一の図面符号は同一の構成要素を称する。また、図面において、構成要素の厚さ、比率、及び寸法は技術的内容の効果的な説明のために誇張されたものを含む。
【００１４】
“及び／又は”は連関された構成が定義できる１つ以上の組み合わせを全て含む。
【００１５】
第１、第２等の用語は多様な構成要素を説明するために使用されるが、この構成要素はこの用語によって限定されてはならない。この用語は１つの構成要素を他の構成要素から区別する目的のみに使用される。例えば、本発明の権利範囲を逸脱しなく、第１構成要素は第２構成要素と称され、類似して第２構成要素も第１構成要素と称されることができる。単数の表現は文脈上で明確に異なって表現しない限り、複数の表現を含む。
【００１６】
また、“下に”、“下側に”、“上に”、“上側に”等の用語は図面に図示された構成の連関関係を説明するために使用される。この用語は相対的な概念として図面に表示された方向を基準にして説明される。
【００１７】
異なって定義されない限り、本明細書で使用されるすべての用語（技術的及び科学的用語を含む）は本発明が属する技術分野で当業者によって一般的に理解される同一の意味を有する。また、一般的に使用される辞典で定義された用語と同一の用語は関連技術の脈絡で意味と一致する意味を有することと解釈しなければならなく、理想的な意味又はあまりにも形式的な意味に解釈されない限り、明示的にここで定義される。
【００１８】
“含む”等の用語は明細書上に記載された特徴、数字、段階、動作、構成要素、部品又はこれらを組み合せたことが存在することを表現しようするものであり、１つ又はその以上の他の特徴や数字、段階、動作、構成要素、部分品、又はこれらを組合したものの存在又は付加可能性を予め排除しないものとして理解されるべきである。
【００１９】
以下、図面を参照して本発明の実施形態が詳細に説明される。
【００２０】
図１は本発明の実施形態による表示装置の斜視図である。
【００２１】
図１を参照すれば、表示装置ＤＤは表示モジュールＤＭ及び表示モジュールＤＭを収容するケースＣＳを含む。表示モジュールＤＭはケースＣＳに定義された映像開口部ＩＯＰを通じて外部に露出される。
【００２２】
表示モジュールＤＭはフレキシブル表示モジュールである。表示モジュールＤＭの露出領域は多様に調節されることができる。このような構成は以下の図２乃至図４を参照して詳細に説明される。表示モジュールＤＭは映像開口部ＩＯＰを通じて使用者に所定の映像を提供する。
【００２３】
ケースＣＳは第１ケースＣＳ１、第２ケースＣＳ２、及び第３ケースＣＳ３を含む。表示モジュールＤＭは第１ケースＣＳ１に収容され、第１ケースＣＳ１に定義された映像開口部ＩＯＰを通じて外部に露出される。
【００２４】
第１ケースＣＳ１は第１方向ＤＲ１に長辺を有し、第１方向ＤＲ１と交差する第２方向ＤＲ２に短辺を有する長方形状を有する。第１ケースＣＳ１は第１及び第２方向ＤＲ１、ＤＲ２によって定義される平面を有する。第２ケースＣＳ２は第１ケースＣＳ１に対向するように配置される。第３ケースＣＳ３は第１ケースＣＳ１の上端から第２ケースＣＳ２の上端に延長する。
【００２５】
表示装置ＤＤは多様な映像表示機器に使用されることができる。例えば、表示装置ＤＤは自動車、航空機、又は船舶のナビゲーションとして使用されることができる。表示装置ＤＤが自動車、航空機、又は船舶のナビゲーションに使用される場合、第２及び第３ケースＣＳ２、ＣＳ３は自動車、航空機、又は船舶の内部に埋め込まれることができる。
【００２６】
以下、第１及び第２方向ＤＲ１、ＤＲ２によって定義される平面と実質的に垂直に交差する方向は第３方向ＤＲ３として定義される。
【００２７】
図２、図３、及び図４は図１に図示された表示装置を正面から見た表示装置の正面図であって、図１に図示された表示モジュールの露出領域の可変状態を示す図面である。
【００２８】
図２、図３、及び図４を参照すれば、映像開口部ＩＯＰによって露出される表示モジュールＤＭの領域は変更されることができる。例えば、表示モジュールＤＭは図２に図示されたように映像開口部ＩＯＰの１／３に該当する部分に配置されることができる。また、表示モジュールＤＭは図３に図示されたように映像開口部ＩＯＰの２／３に該当する部分に配置されることもでき、或いは図４に図示されたように映像開口部ＩＯＰの全体に配置されることもできる。
【００２９】
表示モジュールＤＭの露出領域は第１ケースＣＳ１の下部に配置されたアップボタンＵＢ及びダウンボタンＤＢによって変更することができる。例えば、使用者がアップボタンＵＢを操作すると、表示モジュールＤＭの露出領域は図４に図示された状態から図３に図示された状態に移動して縮小され、又は図３に図示された状態から図２に図示された状態に移動して縮小されることができる。使用者がダウンボタンＤＢを操作すると、表示モジュールＤＭの露出領域は図２に図示された状態から図３に図示された状態に移動して拡大され、又は図３に図示された状態から図４に図示された状態に移動して拡大されることができる。
【００３０】
表示モジュールＤＭは基本的なノーマルモードとして、図２に図示されたように映像開口部ＩＯＰの１／３に該当する部分に配置され、アップボタンＵＢ及びダウンボタンＤＢによって表示モジュールＤＭの露出領域を変更することができる。即ち、表示モジュールの所定部分が映像開口部ＩＯＰの１／３に該当する部分を通じて常に露出されることができる。しかし、これに限定されなく、表示モジュールＤＭが基本的に映像開口部ＩＯＰに露出されない状態で、ダウンボタンＤＢによって表示モジュールＤＭが外部に露出されるようにしてもよい。
【００３１】
第１ケースＣＳ１の映像開口部ＩＯＰには複数の機能ボタンＢＴ及び携帯電話の載置台ＣＣが配置されることができる。例えば、表示装置ＤＤが自動車に使用される場合、機能ボタンＢＴは車輌の内部温度、エアコン、及び音響機器等を操作するための機能ボタンである。携帯電話の載置台ＣＣは携帯電話を載置するために陥没された溝で形成されることができる。
【００３２】
複数の機能ボタンＢＴ及び携帯電話の載置台ＣＣは表示モジュールＤＭの露出領域にしたがって外部に露出され、或いは表示モジュールＤＭによって隠されることができる。例えば、図２に図示されたように表示モジュールＤＭが露出される場合、機能ボタンＢＴ及び携帯電話の載置台ＣＣが外部に露出される。
【００３３】
図３に図示されたように表示モジュールＤＭが露出される場合、機能ボタンＢＴは表示モジュールＤＭに隠れ、携帯電話の載置台ＣＣが外部に露出される。図４に図示されたように表示モジュールＤＭが露出される場合、機能ボタンＢＴ及び携帯電話の載置台ＣＣは表示モジュールＤＭに隠れ、外部に露出されない。
【００３４】
図５は図１に図示されたケース内に収容される表示モジュール及びガイド部材を示した図面である。
【００３５】
図５を参照すれば、ガイド部材ＧＭは長方形のフレーム形状を有する。表示装置ＤＤは表示モジュールＤＭの下部に配置されて表示モジュールＤＭの一部を支持するための支持部材（以下、図１３及び図１４に図示される）を含む。実質的にガイド部材ＧＭは表示モジュールＤＭと支持部材を収容するための収容部材である。
【００３６】
ガイド部材ＧＭは第１方向ＤＲ１に延長する第１ガイド部材ＧＭ１及び第２ガイド部材ＧＭ２と第２方向ＤＲ２に延長する第３ガイド部材ＧＭ３及び第４ガイド部材ＧＭ４を含む。説明を簡易にするために、図５で、図２及び図３に図示された機能ボタンＢＴ及び携帯電話の載置台ＣＣは省略された。
【００３７】
第１ガイド部材ＧＭ１及び第２ガイド部材ＧＭ２は第２方向ＤＲ２に互いに対向する。表示モジュールＤＭは第１ガイド部材ＧＭ１及び第２ガイド部材ＧＭ２の間に配置される。
【００３８】
第３ガイド部材ＧＭ３及び第４ガイド部材ＧＭ４は第１方向ＤＲ１に互いに対向する。第３ガイド部材ＧＭ３は第１ガイド部材ＧＭ１の一端と第２ガイド部材ＧＭ２の一端との間に配置されて第１ガイド部材ＧＭ１の一端と第２ガイド部材ＧＭ２の一端に連結される。
【００３９】
第４ガイド部材ＧＭ４は第１ガイド部材ＧＭ１の一端の反対端である第１ガイド部材ＧＭ１の他端と第２ガイド部材ＧＭ２の一端の反対端である第２ガイド部材ＧＭ２の他端との間に配置される。第４ガイド部材ＧＭ４は第１ガイド部材ＧＭ１の他端と第２ガイド部材ＧＭ２の他端に連結される。
【００４０】
表示装置ＤＤは複数の駆動ユニットＤＵ１、ＤＵ２、ＤＵ３及び結合部ＣＰを含む。複数の駆動ユニットＤＵ１、ＤＵ２、ＤＵ３がガイド部材ＧＭに配置され、表示モジュールＤＭの一端は駆動ユニットＤＵ１、ＤＵ２、ＤＵ３のうち一部の駆動ユニットに連結される。駆動ユニットＤＵ１、ＤＵ２、ＤＵ３の具体的な構成は以下で詳細に説明される。
【００４１】
駆動ユニットＤＵ１、ＤＵ２、ＤＵ３の回転に応じて表示モジュールＤＭは第１及び第２ガイド部材ＧＭ１、ＧＭ２に沿って第１方向ＤＲ１に往復移動することができる。したがって、図２乃至図４に図示されたように表示モジュールＤＭの露出領域が縮小及び拡大されることができる。
【００４２】
表示モジュールＤＭの一端の反対端である表示モジュールＤＭの他端は結合部ＣＰに連結される。結合部ＣＰは第２方向ＤＲ２に延長して第１ガイド部材ＧＭ１と第２ガイド部材ＧＭ２との間に配置される。また、結合部ＣＰは表示モジュールＤＭの他端に隣接する第１ガイド部材ＧＭ１の上及び第２ガイド部材ＧＭ２の上に配置される。表示モジュールＤＭの移動に応じて結合部ＣＰは第１及び第２ガイド部材ＧＭ１、ＧＭ２に沿って第１方向ＤＲ１に往復移動することができる。
【００４３】
図６は図５に図示された表示モジュールの断面を概略的に示す図面である。
【００４４】
図６を参照すれば、表示モジュールＤＭは表示パネルＤＰ、表示パネルＤＰの上に配置されたウインドウＷＩＮ、及び表示パネルＤＰとウインドウＷＩＮとの間に配置された接着剤ＯＣＡを含む。ウインドウＷＩＮは表示パネルＤＰの一部分と接触し、他の部分と分離される。このような構成は以下で詳細に説明される。図６には互いに接触されたウインドウＷＩＮと表示パネルＤＰを含む表示モジュールＤＭの断面が図示された。
【００４５】
表示パネルＤＰは有機発光表示パネルである。しかし、これに限定されなく、液晶表示パネル、エレクトロ・ウェッティング表示パネル、及び電気泳動表示パネル等、映像を表示することができる多様な表示パネルが表示パネルＤＰとして使用されることができる。
【００４６】
表示パネルＤＰはベース基板ＳＵＢ、ベース基板ＳＵＢ上に配置された画素層ＰＸＬ、画素層ＰＸＬを覆うようにベース基板ＳＵＢ上に配置された薄膜封止層ＴＦＥを含む。ベース基板ＳＵＢは少なくとも１つのプラスチックフィルムを含む。ベース基板ＳＵＢはフレキシブル基板としてプラスチック基板、ガラス基板、メタル基板、又は有／無機複合材料基板等を含む。
【００４７】
ベース基板ＳＵＢは表示領域ＤＡ及び表示領域ＤＡの周辺の非表示領域ＮＤＡを含む。画素層ＰＸＬは表示領域ＤＡ上に配置される。画素層ＰＸＬは複数の画素を含み、画素の各々は有機発光ダイオードを含む。
【００４８】
薄膜封止層ＴＦＥは無機層と有機層を含む。薄膜封止層ＴＦＥは少なくとも２つの無機層とその間に配置された有機層を含む。無機層は無機物質を含み、水分／酸素から画素層ＰＸＬを保護することができる。有機層は有機物質を含み、ほこり粒子のような異物質から画素層ＰＸＬを保護することができる。
【００４９】
例示的に画素層ＰＸＬを保護するための薄膜封止層ＴＦＥが図示されたが、これに限定されず、画素層ＰＸＬを保護するために封止基板（例えば、Ｅｎｃａｐ  Ｇｌａｓｓ）が使用されてもよい。封止基板は基板ＳＵＢ上に配置され、画素層ＰＸＬは封止基板と基板ＳＵＢとの間に配置される。封止基板は基板ＳＵＢの非表示領域ＮＤＡ上に配置されるシーリング部材を通じて基板ＳＵＢに合着されることができる。
【００５０】
封止基板は合成樹脂基板又はガラス基板を含むことができる。シーリング部材はフリットのような無機物接着部材を含むことができる。しかし、これに限定されず、シーリング部材は有機物接着部材を含むことができる。画素層ＰＸＬは封止基板及びシーリング部材によって外部から密封されるため、水分による発光素子の不良を防止することができる。
【００５１】
ウインドウＷＩＮは外部のスクラッチ及び衝撃から表示パネルＤＰを保護することができる。ウインドウＷＩＮは接着剤ＯＣＡによって表示パネルＤＰに付着されることができる。接着剤ＯＣＡは光学透明接着剤（Ｏｐｔｉｃａｌ  Ｃｌｅａｒ  Ａｄｈｅｓｉｖｅ）を含むことができる。
【００５２】
表示パネルＤＰで生成された映像はウインドウＷＩＮを透過して使用者に提供される。図示していないが、ウインドウＷＩＮ及び表示パネルＤＰの間にタッチ感知ユニットが配置されることができる。タッチ感知ユニットは外部のタッチ（例えば、使用者の手やタッチペン等による接触）を感知することができる。
【００５３】
図７は図６に図示された画素層に配置される一画素の等価回路を例示的に示した図面である。図８及び図９は図７に図示された画素の断面を例示的に示した図面である。
【００５４】
図７はｋ番目のデータラインＤＬｋに接続されたｉ番目の画素ＰＸｉが例示的に図示された。図８は図７に図示された等価回路の第１トランジスタＴ１に対応する部分の断面を図示した。図９は図７に図示された等価回路の第２トランジスタＴ２、第６トランジスタＴ６、及び有機発光ダイオードＯＬＥＤに対応する部分の断面を図示した。
【００５５】
図７を参照すれば、ｉ番目の画素ＰＸｉは有機発光ダイオードＯＬＥＤ及び有機発光ダイオードＯＬＥＤを制御する駆動回路を含む。駆動回路は７個の薄膜トランジスタＴ１〜Ｔ７及び１つのキャパシターＣｓｔを含む。以下、７個のトランジスタＴ１〜Ｔ７はＮタイプの薄膜トランジスタであることを例示的に説明する。しかし、これに限定されず、７個のトランジスタＴ１〜Ｔ７はＰタイプの薄膜トランジスタであってもよい。
【００５６】
駆動トランジスタは有機発光ダイオードＯＬＥＤに供給される駆動電流を制御する。本発明の実施形態で駆動トランジスタは第２トランジスタＴ２である。第２トランジスタＴ２の出力電極は有機発光ダイオードＯＬＥＤと電気的に接続される。第２トランジスタＴ２の出力電極は有機発光ダイオードＯＬＥＤのアノードと直接接触するか、或いは他のトランジスタＴ６を経由して接続される。
【００５７】
制御トランジスタの制御電極は制御信号を受信する。ｉ番目の画素ＰＸｉに印加される制御信号はｉ−１番目の走査信号Ｓｉ−１、ｉ番目の走査信号Ｓｉ、ｉ＋１番目の走査信号Ｓｉ＋１、データ信号Ｄｋ、及びｉ番目の発光制御信号Ｅｉを含む。本発明の実施形態で制御トランジスタは第１トランジスタＴ１及び第３乃至第７トランジスタＴ３〜Ｔ７を含む。
【００５８】
第４トランジスタＴ４の出力電極と第２トランジスタＴ２の制御電極との間のノードは第１ノードＮ１として定義され、第７トランジスタＴ７とキャパシターＣｓｔとの間のノードは第２ノードＮ２として定義される。電源ラインＰＬは第１電圧ＥＬＶＤＤを受信して画素ＰＸに提供する。
【００５９】
第２トランジスタＴ２は第５トランジスタＴ５を経由して第１電圧ＥＬＶＤＤを受信する入力電極、第１ノードＮ１に接続された制御電極、及び出力電極を含む。第２トランジスタＴ２の出力電極は第６トランジスタＴ６を経由して有機発光ダイオードＯＬＥＤに第１電圧ＥＬＶＤＤを提供する。第２トランジスタＴ２の入力電極は第３トランジスタＴ３を経由して第１ノードＮ１に接続される。第２トランジスタＴ２は第１ノードＮ１の電位に対応して有機発光ダイオードＯＬＥＤに供給される駆動電流を制御する。
【００６０】
第１トランジスタＴ１はｋ番目のデータラインＤＬｋに接続された入力電極、ｉ番目の走査ラインＳＬｉに接続された制御電極、及び第２トランジスタＴ２の出力電極に接続された出力電極を含む。第１トランジスタＴ１はｉ番目の走査ラインＳＬｉに印加された走査信号Ｓｉ（以下、ｉ番目の走査信号）によってターンオンされる。第１トランジスタＴ１はスイッチングトランジスタと称される。
【００６１】
第３トランジスタＴ３は第２トランジスタＴ２の入力電極に接続された入力電極、ｉ番目の走査ラインＳＬｉに接続された制御電極、及び第１ノードＮ１に接続された出力電極を含む。第３トランジスタＴ３はｉ番目の走査信号Ｓｉに応答してターンオンされる。
【００６２】
第１トランジスタＴ１及び第３トランジスタＴ３がターンオンされると、第２トランジスタＴ２は第１トランジスタＴ１と第３トランジスタＴ３との間にダイオードを形成するように接続される。第１トランジスタＴ１は第２トランジスタＴ２及び第３トランジスタＴ３を経由して第１ノードＮ１に接続される。したがって、ｋ番目のデータラインＤＬｋに印加されたデータ信号ＤｋがキャパシターＣｓｔに提供される。
【００６３】
キャパシターＣｓｔは第１ノードＮ１と有機発光ダイオードＯＬＥＤのアノードとの間に接続される。キャパシターＣｓｔは第１ノードＮ１に印加された電圧に対応する電圧を充電する。
【００６４】
第４トランジスタＴ４は電源ラインＰＬに接続された入力電極、ｉ−１番目の走査信号Ｓｉ−１を受信する制御電極、及び第１ノードＮ１に接続された出力電極を含む。第４トランジスタＴ４はｉ−１番目の走査信号Ｓｉ−１に応答してスイッチングされる。第４トランジスタＴ４の制御電極はｉ−１番目の走査ラインＳＬｉ−１に接続される。ｉ−１番目の走査信号Ｓｉ−１が印加される信号ラインはダミー信号ライン等に変更されてもよい。
【００６５】
第５トランジスタＴ５は電源ラインＰＬに接続された入力電極、ｉ番目の発光ラインＥＬｉに接続された制御電極、及び第２トランジスタＴ２の入力電極に接続された出力電極を含む。第５トランジスタＴ５はｉ番目の発光制御信号Ｅｉに応答してスイッチングされる。
【００６６】
第６トランジスタＴ６は第２トランジスタＴ２の出力電極に接続された入力電極、ｉ番目の発光ラインＥＬｉに接続された制御電極、及び有機発光ダイオードＯＬＥＤのアノードに接続された出力電極を含む。第６トランジスタＴ６はｉ番目の発光ラインＥＬｉから供給されるｉ番目の発光制御信号Ｅｉに応答してスイッチングされる。
【００６７】
第５トランジスタＴ５及び第６トランジスタＴ６の動作に応じて電源ラインＰＬと有機発光ダイオードＯＬＥＤとの間に電流パスが形成又は遮断されることができる。本発明の一実施形態で第５トランジスタＴ５及び第６トランジスタＴ６のいずれか１つは省略されてもよい。
【００６８】
第７トランジスタＴ７は初期化ラインＲＬに接続された入力電極、ｉ＋１番目の走査信号Ｓｉ＋１を受信する制御電極、及び有機発光ダイオードＯＬＥＤのアノードに接続された出力電極を含む。第７トランジスタＴ７の制御電極はｉ＋１番目の走査ラインＳＬｉ＋１に接続される。ｉ＋１番目の走査信号Ｓｉ＋１が印加される信号ラインはダミー信号ライン等に変更されてもよい。
【００６９】
第４トランジスタＴ４がターンオンされると、第１ノードＮ１は第１電圧ＥＬＶＤＤによってリセットされる。第７トランジスタＴ７がターンオンされると、第２ノードＮ２は初期化電圧Ｖｉｎｔによって初期化される。有機発光ダイオードＯＬＥＤのアノードは第７トランジスタＴ７がターンオンされると、初期化電圧Ｖｉｎｔによって初期化される。初期化電圧Ｖｉｎｔと有機発光ダイオードＯＬＥＤのカソードに印加された第２電圧ＥＬＶＳＳのとの間の電位差は有機発光ダイオードＯＬＥＤの発光閾値電圧より小さい。
【００７０】
図８及び図９を参照すれば、ベース基板ＳＵＢ上に第１トランジスタＴ１、第２トランジスタＴ２、及び第６トランジスタＴ６が配置される。トランジスタの構造は実質的に同一であるので、以下第１トランジスタＴ１の構成が説明され、第２及び第６トランジスタＴ２、Ｔ６の構成に対する説明は省略される。
【００７１】
ベース基板ＳＵＢの上面は第１方向ＤＲ１及び第２方向ＤＲ２によって定義された平面である。第１トランジスタＴ１は第１入力電極ＤＥ１、第１出力電極ＳＥ１、第１制御電極ＧＥ１、及び第１酸化物半導体パターンＯＳＰ１を含む。
【００７２】
ベース基板ＳＵＢの上面にバッファ層ＢＦＬが配置される。バッファ層ＢＦＬは無機物質を含む。バッファ層ＢＦＬ上に第１酸化物半導体パターンＯＳＰ１が配置される。第１酸化物半導体パターンＯＳＰ１はインジウム−錫酸化物（ＩＴＯ）、インジウム−ガリウム−亜鉛酸化物（ＩＧＺＯ）、亜鉛酸化物（ＺｎＯ）、インジウム−亜鉛酸化物（ＩＺｎＯ）等を含む。
【００７３】
図示していないが、半導体パターンＯＳＰ１は第１領域（又は入力領域）、第２領域（又は出力領域）、及び第１領域と第２領域との間のチャンネル領域を含む。第１領域は第２領域より左側に配置される。
【００７４】
第１酸化物半導体パターンＯＳＰ１上に第１絶縁層１０が配置される。第１絶縁層１０上に第１制御電極ＧＥ１が配置され、第１絶縁層１０上に第１制御電極ＧＥ１をカバーする第２絶縁層２０が配置される。第２絶縁層２０は平坦な上面を提供する。第１絶縁層１０は無機物質を含む。第２絶縁層２０は有機物質及び／又は無機物質を含む。
【００７５】
第１酸化物半導体パターンＯＳＰ１の第１領域と第２領域を露出させる第１コンタクトホールＣＨ１及び第２コンタクトホールＣＨ２が第１及び第２絶縁層１０、２０に定義される。第１コンタクトホールＣＨ１及び第２コンタクトホールＣＨ２の各々は第１絶縁層１０と第２絶縁層２０を貫通する。
【００７６】
第１入力電極ＤＥ１と第１出力電極ＳＥ１は第２絶縁層２０上に配置される。第１入力電極ＤＥ１と第１出力電極ＳＥ１は第１コンタクトホールＣＨ１及び第２コンタクトホールＣＨ２を通じて第１酸化物半導体パターンＯＳＰ１の第１領域と第２領域に各々接続される。
【００７７】
第２絶縁層２０上に第１入力電極ＤＥ１と第１出力電極ＳＥ１をカバーする第３絶縁層３０が配置される。第３絶縁層３０は平坦な上面を提供する。第３絶縁層３０は有機物質及び／又は無機物質を含む。
【００７８】
図９は第２トランジスタＴ２と実質的に同一な構造の第６トランジスタＴ６を例示的に図示した。第６トランジスタＴ６の入力電極ＤＥ６は第２絶縁層２０上で第２トランジスタＴ２の出力電極ＳＥ２に接続される。
【００７９】
第３絶縁層３０上に画素定義膜ＰＤＬ及び有機発光ダイオードＯＬＥＤが配置される。第３絶縁層３０上にアノードＡＥが配置される。アノードＡＥは第３絶縁層３０を貫通する第７コンタクトホールＣＨ７を通じて第６トランジスタＴ６の第６出力電極ＳＥ６に接続される。画素定義膜ＰＤＬには画素開口部ＰＸ＿ＯＰが定義される。画素定義膜ＰＤＬの画素開口部ＰＸ＿ＯＰはアノードＡＥの少なくとも一部分を露出させる。
【００８０】
画素ＰＸは有機発光表示パネルＤＰの平面上で画素領域に配置される。画素領域は発光領域ＰＸＡと発光領域ＰＸＡに隣接する非発光領域ＮＰＸＡとを含む。非発光領域ＮＰＸＡは発光領域ＰＸＡを囲むように配置される。発光領域ＰＸＡは開口部ＯＰによって露出されたアノードＡＥの領域に対応するように定義される。
【００８１】
画素開口部ＰＸ＿ＯＰでアノードＡＥ上に有機発光層ＥＭＬが配置される。有機発光層ＥＭＬは赤色、緑色、及び青色のいずれか１つの光を生成する。しかし、これに限定されず、有機発光層ＯＥＬは赤色、緑色、及び青色を生成する有機物質の組み合わせによって白色光を生成することもできる。
【００８２】
有機発光層ＥＭＬ上にカソードＣＥが配置される。カソードＣＥは複数の画素ＰＸに共通的に配置される。カソードＣＥ上に薄膜封止層ＴＦＥが配置される。図示しなかったが、カソードＣＥをカバーするキャッピング層がさらに配置されてもよい。このような場合、薄膜封止層ＴＦＥはキャッピング層をカバーする。
【００８３】
図１０は図５に図示されたガイド部材及びガイド部材に連結された駆動ユニットを示した図面である。図１１は図１０に図示された第１駆動ユニットを示した図面である。
【００８４】
図１０及び図１１を参照すれば、第１、第２、及び第３駆動ユニットＤＵ１、ＤＵ２、ＤＵ３は第１ガイド部材ＧＭ１及び第２ガイド部材ＧＭ２の間に配置され、第２方向ＤＲ２に延長して第１ガイド部材ＧＭ１及び第２ガイド部材ＧＭ２に連結される。第１、第２、及び第３駆動ユニットＤＵ１、ＤＵ２、ＤＵ３は第１ガイド部材ＧＭ１及び第２ガイド部材ＧＭ２を貫通して外部に突出される。
【００８５】
第１、第２、及び第３駆動ユニットＤＵ１、ＤＵ２、ＤＵ３は第１方向ＤＲ１に配列され、第３ガイド部材ＧＭ３より第４ガイド部材ＧＭ４にさらに隣接するように配置される。第３駆動ユニットＤＵ３は第１及び第２駆動ユニットＤＵ１、ＤＵ２より第４ガイド部材ＧＭ４にさらに隣接する。第２駆動ユニットＤＵ２は第１駆動ユニットＤＵ１より第４ガイド部材ＧＭ４にさらに隣接する。第２駆動ユニットＤＵ２は第１駆動ユニットＤＵ１及び第３駆動ユニットＤＵ３の間に配置される。
【００８６】
第１、第２、及び第３駆動ユニットＤＵ１、ＤＵ２、ＤＵ３は第２方向ＤＲ２に平行である回転軸ＲＸ１、ＲＸ２、ＲＸ３を中心に回転することができる。例えば、第１駆動ユニットＤＵ１は第２方向ＤＲ２に平行である第１回転軸ＲＸ１を中心に回転することができる。第２駆動ユニットＤＵ２は第２方向ＤＲ２に平行である第２回転軸ＲＸ２を中心に回転することができる。第３駆動ユニットＤＵ３は第２方向ＤＲ２に平行である第３回転軸ＲＸ３を中心に回転することができる。
【００８７】
第１、第２、及び第３駆動ユニットＤＵ１、ＤＵ２、ＤＵ３は互いに同じ方向に回転することができる。例えば、第１、第２、及び第３駆動ユニットＤＵ１、ＤＵ２、ＤＵ３は共に時計回りに回転することができる。また、第１、第２、及び第３駆動ユニットＤＵ１、ＤＵ２、ＤＵ３は共に反時計回りに回転することができる。
【００８８】
互いに対向する第１ガイド部材ＧＭ１の内側面ＩＳ１及び第２ガイド部材ＧＭ２内側面ＩＳ２の各々にガイド溝ＧＧが定義される。斜視図に図示したように、図１０には第１ガイド部材ＧＭ１の内側面ＩＳ１に定義されたガイド溝ＧＧが定義されたが、第２ガイド部材ＧＭ２の内側面ＩＳ２にもガイド溝ＧＧが定義されることができる。
【００８９】
ガイド溝ＧＧは、第１ガイド部材ＧＭ１の内側面ＩＳ１及び第２ガイド部材ＧＭ２内側面ＩＳ２の各々において、第１ガイド部材ＧＭ１及び第２ガイド部材ＧＭ２の各々の内部に陥没されて定義される。
【００９０】
ガイド溝ＧＧは第１駆動ユニットＤＵ１に隣接する領域から第３ガイド部材ＧＭ３に向かって延長する。具体的に、ガイド溝ＧＧは第１駆動ユニットＤＵ１に隣接する第１ガイド部材ＧＭ１の部分から第３ガイド部材ＧＭ３に隣接する第１ガイド部材ＧＭ１の部分まで定義される。ガイド溝ＧＧの具体的な形状は以下の図１２を参照して詳細に説明される。
【００９１】
第２駆動ユニットＤＵ２及び第３駆動ユニットＤＵ３はガイド溝ＧＧと第４ガイド部材ＧＭ４との間に配置される。第１駆動ユニットＤＵ１は第２方向ＤＲ２に延長する回転軸ユニットＲＵ及び回転軸ユニットＲＵの所定部分に配置されたギヤ部ＧＡＲを含む。回転軸ユニットＲＵは第１回転軸ＲＸ１を提供する。回転軸ユニットＲＵは円筒形状を有し、第１ガイド部材ＧＭ１及び第２ガイド部材ＧＭ２の間に配置されて第１ガイド部材ＧＭ１及び第２ガイド部材ＧＭ２に連結される。
【００９２】
ギヤ部ＧＡＲは図１１に図示されたように、第１及び第２ガイド部材ＧＭ１、ＧＭ２の各々に隣接する回転軸ユニットＲＵの所定部分の外周面（ｏｕｔｅｒ  ｃｉｒｃｕｍｆｅｒｅｎｔｉａｌ  ｓｕｒｆａｃｅ）上に配置される。
【００９３】
第１ガイド部材ＧＭ１及び第２ガイド部材ＧＭ２の間に配置された第２及び第３駆動ユニットＤＵ２、ＤＵ３は円筒形状を有する。回転軸ユニットＲＵの直径は第１ガイド部材ＧＭ１及び第２ガイド部材ＧＭ２の間に配置された第２及び第３駆動ユニットＤＵ２、ＤＵ３の各々の直径より大きい。第２方向ＤＲ２に第１ガイド部材ＧＭ１と第２ガイド部材ＧＭ２との間の距離は第１距離ＤＴ１として定義される。
【００９４】
以下、詳細に説明されるが、表示モジュールＤＭは第２及び第３駆動ユニットＤＵ２、ＤＵ３に連結される。また、表示モジュールＤＭの下部に配置された支持部材は第１駆動ユニットＤＵ１に結合される。
【００９５】
図１２は図１０に図示された第１ガイド部材の内側面を示した図面である。
【００９６】
図示しなかったが、第２ガイド部材ＧＭ２の内側面ＩＳ２も第１ガイド部材ＧＭ１の内側面ＩＳ１と同一な構成を有することができる。
【００９７】
図１２を参照すれば、ガイド溝ＧＧは第１延長部ＥＸ１、第２延長部ＥＸ２、第３延長部ＥＸ３、第１曲線部ＣＶＰ１、及び第２曲線部ＣＶＰ２を含む。第１延長部ＥＸ１、第２延長部ＥＸ２、第３延長部ＥＸ３は第１方向ＤＲ１に延長し、第１曲線部ＣＶＰ１、及び第２曲線部ＣＶＰ２は曲面形状を有する。
【００９８】
第１延長部ＥＸ１の一端、第２延長部ＥＸ２の一端、及び第３延長部ＥＸ３の一端は第１駆動ユニットＤＵ１に隣接する部分として定義される。第１延長部ＥＸ１の他端は第１延長部ＥＸ１の一端の反対端であり、第２延長部ＥＸ２の他端は第２延長部ＥＸ２の一端の反対端であり、第３延長部ＥＸ３の他端は第３延長部ＥＸ３の一端の反対端として定義される。
【００９９】
第１方向ＤＲ１に第２延長部ＥＸ２及び第３延長部ＥＸ３の各々の長さは第１延長部ＥＸ１より小さい。第１方向ＤＲ１に第３延長部ＥＸ３の長さは第２延長部ＥＸ２より小さい。第２延長部ＥＸ２は第１延長部ＥＸ１の下部に配置される。第３延長部ＥＸ３は第１延長部ＥＸ１と第２延長部ＥＸ２との間に配置される。
【０１００】
第１曲線部ＣＶＰ１は第１延長部ＥＸ１の一端から第１延長部ＥＸ１の一端に隣接する第２延長部ＥＸ２の一端まで曲線（ｃｕｒｖｅ）形状を有し、延長する。第１曲線部ＣＶＰ１の曲線形状は第２駆動ユニットＤＵ２に向かって膨らんでいるように曲がった形状を有する。第１駆動ユニットＤＵ１は第１曲線部ＣＶＰ１に隣接するように配置される。
【０１０１】
第２曲線部ＣＶＰ２は第２延長部ＥＸ２の他端から第２延長部ＥＸ２の他端に隣接する第３延長部ＥＸ３の他端まで曲線形状を有し、延長する。例示的に第１及び第２曲線部ＣＶＰ１、ＣＶＰ２の各々は半円形状に図示したが、曲線形状を有すれば、半円形状に限定されなくともよい。第１曲線部ＣＶＰ１の屈曲の方向は第２曲線部ＣＶＰ２の屈曲の方向と反対である。
【０１０２】
図１３は図５に図示されたガイド部材に配置される支持部材の構成を示した図面である。図１４は図１３に図示されたＩ−Ｉ’線の断面図である。
【０１０３】
説明を簡易にするために、図１４には１つのジョイントユニットＪＵの断面が図示された。
【０１０４】
図１３及び図１４を参照すれば、支持部材ＳＭは第２方向ＤＲ２に延長し、第１方向ＤＲ１に配列され、互いに回転するように結合された複数のジョイントユニットＪＵを含む。例示的に６個のジョイントユニットＪＵが図示されたが、実質的に支持部材ＳＭはそれより多いジョイントユニットＪＵを含むことができる。ジョイントユニットＪＵは金属物質を含むことができる。ジョイントユニットＪＵの構成は互いに同一であるので、以下１つのジョイントユニットＪＵの構成が説明される。
【０１０５】
第２方向ＤＲ２にジョイントユニットＪＵは第１長さＬ１を有する。第１長さＬ１は第１距離ＤＴ１より長い。ジョイントユニットＪＵの両側の各々に隣接するジョイントユニットＪＵの所定部分は挿入部ＩＮＰとして定義される。第２方向ＤＲ２に挿入部ＩＮＰの各々は第２長さＬ２を有する。第１長さＬ１は第１距離ＤＴ１及び２つの第２長さＬ２の合計と同一である。
【０１０６】
支持部材ＳＭの両側を定義するジョイントユニットＪＵの各々の両側はガイド溝ＧＧに各々挿入されて配置される。具体的には、ジョイントユニットＪＵの挿入部ＩＮＰがガイド溝ＧＧに各々挿入される。
【０１０７】
ジョイントユニットＪＵは本体部ＢＤＰ、第１突出部ＰＲＴ１、第２突出部ＰＲＴ２、及び第３突出部ＰＲＴ３を含む。本体部ＢＤＰは第２方向ＤＲ２に延長する。第１突出部ＰＲＴ１は第１方向ＤＲ１に本体部ＢＤＰの一端から突出される。第２突出部ＰＲＴ２は第１方向ＤＲ１に本体部ＢＤＰの一端の反対端である本体部ＢＤＰの他端の上端から突出される。第３突出部ＰＲＴ３は第１方向ＤＲ１に本体部ＢＤＰの他端の下端から突出される。
【０１０８】
ｈ番目のジョイントユニットＪＵの第１突出部ＰＲＴ１はｈ＋１番目のジョイントユニットＪＵの第２突出部ＰＲＴ２及び第３突出部ＰＲＴ３の間に定義された溝部ＣＧに挿入される。したがって、ｈ番目のジョイントユニットＪＵ及びｈ＋１番目のジョイントユニットＪＵが互いに結合されることができる。ｈは自然数である。溝部ＣＧの入口は溝部ＣＧの内部より小さい。
【０１０９】
例示的に第３方向ＤＲ３を基準にして本体部ＢＤＰの上面及び下面の間の距離として定義される本体部ＢＤＰの厚さＴＨは１．４乃至１．６ｍｍである。第１方向ＤＲ１を基準にして本体部ＢＤＰの一端から第２突出部ＰＲＴ２の終端までの距離ＤＴは１．８乃至２．０ｍｍである。
【０１１０】
第１方向ＤＲ１を基準にして第２突出部ＰＲＴ２の第１幅Ｗ１は第３突出部ＰＲＴ３の第２幅Ｗ２より大きい。したがって、ｈ＋１番目のジョイントユニットＪＵの第３突出部ＰＲＴ３の終端とｈ番目のジョイントユニットＪＵの本体部の下端との間の第１間隔ＧＰ１はｈ＋１番目のジョイントユニットＪＵの第２突出部ＰＲＴ２の終端とｈ番目のジョイントユニットＪＵの本体部ＢＤＰの上端との間の第２間隔ＧＰ２より大きい。
【０１１１】
第１間隔ＧＰ１は互いに隣接するジョイントユニットＪＵの下端の間の間隔として定義される。第２間隔ＧＰ２は互いに隣接するジョイントユニットＪＵの上端の間の間隔として定義される。例示的に、第１間隔ＧＰ１は０．３乃至０．８ｍｍである。第２間隔ＧＰ２は０ｍｍより大きく、０．１ｍｍより小さいか、或いは同一である。
【０１１２】
第１突出部ＰＲＴ１は本体部ＢＤＰの一端から第１方向ＤＲ１に延長する凹部ＣＮＣ及び凹部ＣＮＣから第１方向ＤＲ１に延長する凸部ＣＮＶを含む。第２方向ＤＲ２から見た時、凹部ＣＮＣの上面及び下面は凹んだ形状を有する。第２方向ＤＲ２から見た時、凸部ＣＮＶは楕円形状を有する。
【０１１３】
したがって、本体部ＢＤＰの一端から遠くなるほど、第１突出部ＰＲＴ１の厚さは漸次的に小さくなった後、再び増加し、第１突出部ＰＲＴ１の終端は膨らんでいる曲面形状を有する。溝部ＣＧは凹部ＣＮＣ及び凸部ＣＮＶに対応する形状を有する。
【０１１４】
ジョイントユニットＪＵの両側に隣接するジョイントユニットＪＵの所定部分に開口部ＯＰが定義される。開口部ＯＰはジョイントユニットＪＵの所定部分を第３方向ＤＲ３に貫通して定義される。本発明の実施形態で、開口部ＯＰはすべてのジョイントユニットＪＵに定義されるが、これに限定されず、開口部ＯＰは一部のジョイントユニットＪＵにだけ定義されてもよい。
【０１１５】
開口部ＯＰは本体部ＢＤＰの所定部分から第１方向ＤＲ１に第１突出部ＰＲＴ１の終端まで延長されて定義される。即ち、開口部ＯＰは第１方向ＤＲ１に第１突出部ＰＲＴ１の所定部分から本体部ＢＤＰの所定部分まで陥没されて定義される。
【０１１６】
開口部ＯＰの幅ＯＷは第１方向ＤＲ１に、開口部ＯＰが定義された本体部ＢＤＰの内側面から第１突出部ＰＲＴ１の終端までの距離として定義される。開口部ＯＰは、実質的にギヤ部ＧＡＲの突起に対応するように配置され、このような構成は以下の図１５及び図１６を参照して詳細に説明される。
【０１１７】
図１５は図１３に図示された支持部材が第１及び第２ガイド部材に配置された構成を示す図面である。図１６はギヤ部の突起が開口部に挿入された構成を示すための断面図である。
【０１１８】
図１５及び図１６を参照すれば、支持部材ＳＭの両側は第１及び第２ガイド部材ＧＭ１、ＧＭ２のガイド溝ＧＧに各々挿入される。例えば、図１４に図示されたジョイントユニットＪＵの各々の挿入部ＩＮＰがガイド溝ＧＧに各々挿入される。ジョイントユニットＪＵの両側がガイド溝ＧＧに挿入されるので、ジョイントユニットＪＵが第１及び第２ガイド部材ＧＭ１、ＧＭ２によって支持される。開口部ＯＰは第１及び第２ガイド部材ＧＭ１、ＧＭ２に隣接するジョイントユニットＪＵの各々の所定部分に定義される。
【０１１９】
ジョイントユニットＪＵの両側は第１駆動ユニットＤＵ１に隣接する第１延長部ＥＸ１の所定部分、第２延長部ＥＸ２、第３延長部ＥＸ３、及び第１及び第２曲線部ＣＶＰ１、ＣＶＰ２に配置される。ジョイントユニットＪＵの配置及び移動状態は以下の図１８及び図１９を参照して具体的に説明される。
【０１２０】
図１６に図示されたように、第１駆動ユニットＤＵ１のギヤ部ＧＡＲの突起はジョイントユニットＪＵのうち第１曲線部ＣＶＰ１に配置されたジョイントユニットＪＵの開口部ＯＰに挿入される。ギヤ部ＧＡＲの突起の各々の両側の間の距離として定義される突起の各々の幅ＳＷは開口部ＯＰの各々の幅ＯＷより小さい。突起と開口部ＯＰの幅ＳＷ、ＯＷは第１方向ＤＲ１を基準にして定義される。
【０１２１】
図１３で説明されたように、ジョイントユニットＪＵが平らに配置された状態で、互いに隣接するジョイントユニットＪＵの下端の間は第１間隔ＧＰ１の程度で離隔され、互いに隣接するジョイントユニットＪＵの上端の間は第１間隔ＧＰ１より小さい第２間隔ＧＰ２の程度で離隔される。
【０１２２】
ジョイントユニットＪＵの両側が第１曲線部ＣＶＰ１に配置される時、互いに隣接するジョイントユニットＪＵの下端の間が第１間隔ＧＰ１より狭くなり、互いに隣接するジョイントユニットＪＵの上端の間が第２間隔ＧＰ２より広くなり、かつジョイントユニットＪＵが第１曲線部ＣＶＰ１に容易に配置されることができる。即ち、ジョイントユニットＪＵの両側が第１曲線部ＣＶＰ１に配置される場合、ジョイントユニットＪＵは第１曲線部ＣＶＰ１に沿って曲線軌跡を有するように配列されることができる。
【０１２３】
図示していないが、ジョイントユニットＪＵの両側が第２曲線部ＣＶＰ２に配置される場合にも互いに隣接するジョイントユニットＪＵの下端の間が第１間隔ＧＰ１より狭くなり、互いに隣接するジョイントユニットＪＵの上端の間が第２間隔ＧＰ２より広くなり、かつ、ジョイントユニットＪＵが第２曲線部ＣＶＰ２に沿って曲線軌跡を有するように配列されることができる。
【０１２４】
第１駆動ユニットＤＵ１が回転し、ギヤ部ＧＡＲの突起が第１曲線部ＣＶＰ１に配置されたジョイントユニットＪＵの開口部ＯＰに配置しながら、回転してジョイントユニットＪＵを移動させることができる。即ち、第１駆動ユニットＤＵ１は支持部材ＳＭに結合されて支持部材ＳＭを第１及び第２ガイド部材ＧＭ１、ＧＭ２のガイド溝ＧＧに沿って移動させる。
【０１２５】
図１７は図１５に図示された第２及び第３駆動ユニットに連結された表示モジュールを示した図面である。
【０１２６】
図１７を参照すれば、表示モジュールＤＭの表示パネルＤＰの一端は第２駆動ユニットＤＵ２に連結される。第２駆動ユニットＤＵ２は表示パネルＤＰを巻き取り（ｒｏｌｌｉｎｇ）、又は巻き出す（ｕｎｒｏｌｌｉｎｇ）。表示パネルＤＰは巻き出されて平らな状態に拡げられた第１部分ＰＴ１及び第１部分ＰＴ１から第１方向ＤＲ１に延長して第２駆動ユニットＤＵ２に巻き取られた第２部分ＰＴ２を含む。表示パネルＤＰの一端は第２部分ＰＴ２の終端に定義される。
【０１２７】
第１部分ＰＴ１は第２駆動ユニットＤＵ２に巻き出されない部分として第２駆動ユニットＤＵ２の回転に応じて変更されることができる。第２部分ＰＴ２もやはり第２駆動ユニットＤＵ２の回転に応じて変更されることができる。例えば、第２駆動ユニットＤＵ２が時計回りに回転すると、第１部分ＰＴ１は減少し、第２部分ＰＴ２は増加する。第２駆動ユニットＤＵ２が反時計回りに回転すると、第１部分ＰＴ１は増加し、第２部分ＰＴ２は減少する。
【０１２８】
表示モジュールＤＭのウインドウＷＩＮの一端は第３駆動ユニットＤＵ３に連結される。ウインドウＷＩＮは第１部分ＰＴ１と接触し、第２部分ＰＴ２と分離される。ウインドウＷＩＮは第１部分ＰＴ１上に配置されて第１部分ＰＴ１に接触された第１ウインドウＷＩＮ１及び第２部分ＰＴ２と分離されて第３駆動ユニットＤＵ３に連結された第２ウインドウＷＩＮ２を含む。第１ウインドウＷＩＮ１は巻き出されたウインドウＷＩＮの部分として定義され、第２ウインドウＷＩＮ２は第３駆動ユニットＤＵ３に巻き取られたウインドウＷＩＮの部分として定義される。第２ウインドウＷＩＮ２は第１ウインドウＷＩＮ１から第１方向ＤＲ１に延長して第３駆動ユニットＤＵ３に巻き取られる。ウインドウＷＩＮの一端は第２ウインドウＷＩＮ２の終端として定義される。
【０１２９】
第１部分ＰＴ１は透明なウインドウＷＩＮを通じて外部に露出される。第２部分ＰＴ２は実質的にケースＣＳ内に収容されて外部に露出されない。第１ウインドウＷＩＮ１は外部に露出され、第２ウインドウＷＩＮ２は実質的にケースＣＳ内に収容されて外部に露出されない。
【０１３０】
第１ウインドウＷＩＮ１及び第２ウインドウＷＩＮ２は第３駆動ユニットＤＵ３の回転に応じて変更されることができる。例えば、第３駆動ユニットＤＵ３が時計回りに回転すると、第１ウインドウＷＩＮ１は減少し、第２ウインドウＷＩＮ２は増加する。第３駆動ユニットＤＵ３が反時計回りに回転すると、第１ウインドウＷＩＮ１は増加し、第２ウインドウＷＩＮ２は減少する。
【０１３１】
第２方向ＤＲ２に表示パネルＤＰ及びウインドウＷＩＮの各々の長さは第１ガイド部材ＧＭ１と第２ガイド部材ＧＭ２との間の第１距離ＤＴ１と同一である。
【０１３２】
図１８は図１５に図示された支持部材に表示モジュールが配置された状態を例示的に示す断面図である。図１９は図１８に図示された第１、第２、及び第３駆動ユニットの回転に応じて移動する支持部材及び表示モジュールを示した図面である。
【０１３３】
説明を簡易にするために第１ガイド部材ＧＭ１の内側面ＩＳ１の断面図が図示されたが、第２ガイド部材ＧＭ２の内側面ＩＳ２の断面図も第１ガイド部材ＧＭ１の内側面ＩＳ１の断面図と同一である。
【０１３４】
図１８を参照すれば、ジョイントユニットＪＵの両側は第１駆動ユニットＤＵ１に隣接する第１延長部ＥＸ１の所定部分、第２延長部ＥＸ２、第３延長部ＥＸ３、及び第１及び第２曲線部ＣＶＰ１、ＣＶＰ２に配置される。例示的には、第１延長部ＥＸ１の所定部分は第２延長部ＥＸ２に重畳する部分である。結合部ＣＰは表示パネルＤＰの一端の反対端である表示パネルＤＰの他端、ウインドウＷＩＮの一端の反対端であるウインドウＷＩＮの他端、及び表示パネルＤＰの他端に重畳する支持部材ＳＭの終端を連結する。したがって、結合部ＣＰは表示パネルＤＰの他端、ウインドウＷＩＮの他端、及び表示パネルＤＰの他端に重畳する支持部材ＳＭの終端を相互固定する。支持部材ＳＭは表示パネルＤＰの下部に配置される。
【０１３５】
第２及び第３駆動ユニットＤＵ２、ＤＵ３に連結された表示パネルＤＰ及びウインドウＷＩＮは第３ガイド部材ＧＭ３に向かって配置される。表示パネルＤＰの第１部分ＰＴ１及びウインドウＷＩＮの第１ウインドウＷＩＮ１が第３ガイド部材ＧＭ３に向かって配置される。
【０１３６】
支持部材ＳＭは巻き出された表示パネルＤＰの第１部分ＰＴ１の下部に配置されて、第１部分ＰＴ１の下部に接触し、第１部分ＰＴ１を支持する。支持部材ＳＭは第２部分ＰＴ２と分離される。支持部材ＳＭは表示パネルＤＰの一部である第１部分ＰＴ１を支持する。
【０１３７】
図１５で説明されたように、ジョイントユニットＪＵの挿入部ＩＮＰがガイド溝ＧＧに挿入される。図１６で説明されたように、第１駆動ユニットＤＵ１のギヤ部ＧＡＲの突起は第１曲線部ＣＶＰ１に配置されたジョイントユニットＪＵの開口部ＯＰに挿入される。
【０１３８】
図１９を参照すれば、第１、第２、及び第３駆動ユニットＤＵ１、ＤＵ２、ＤＵ３は反時計回りに回転する。このような場合、図１６で説明されたように、ギヤ部ＧＡＲの突起が第１曲線部ＣＶＰ１に配置されたジョイントユニットＪＵの開口部ＯＰに挿入されながら、回転してジョイントユニットＪＵを移動させる。
【０１３９】
結合部ＣＰに支持部材ＳＭ、表示パネルＤＰ、及びウインドウＷＩＮが連結されており、ジョイントユニットＪＵが第１駆動ユニットＤＵ１の回転に応じて第１延長部ＥＸ１に沿って第３ガイド部材ＧＭ３に向かって移動する。したがって、表示パネルＤＰ及びウインドウＷＩＮの露出領域が拡大されるように表示パネルＤＰ及びウインドウＷＩＮが巻き出されて移動することができる。表示パネルＤＰ及びウインドウＷＩＮは第１ガイド部材ＧＭ１及び第２ガイド部材ＧＭ２に沿って移動し、第３ガイド部材ＧＭ３に向かって移動する。
【０１４０】
第１、第２、及び第３駆動ユニットＤＵ１、ＤＵ２、ＤＵ３が時計回りに回転する場合、ジョイントユニットＪＵが移動して、図１８に図示されたように、ジョイントユニットＪＵがガイド溝ＧＧに配置される。したがって、表示パネルＤＰ及びウインドウＷＩＮが第２及び第３駆動ユニットＤＵ２、ＤＵ３に巻き取られて表示パネルＤＰ及びウインドウＷＩＮの露出領域が縮小されることができる。表示パネルＤＰ及びウインドウＷＩＮは第１ガイド部材ＧＭ１及び第２ガイド部材ＧＭ２に沿って移動し、第３ガイド部材ＧＭ３から遠くなるように移動する。
【０１４１】
ジョイントユニットＪＵの両側がガイド溝ＧＧに挿入されて第１及び第２ガイド部材ＧＭ１、ＧＭ２によって支持されるので、ジョイントユニットＪＵは露出領域を拡大するために巻き出された表示パネルＤＰをより平坦に支持することができる。
【０１４２】
第１、第２、及び第３駆動ユニットＤＵ１、ＤＵ２、ＤＵ３の少なくとも２つが第３方向ＤＲ３に配列される場合、駆動ユニットを配置するためにガイド部材ＧＭの厚さが厚くなる。しかし、本発明の実施形態で、第１、第２、及び第３駆動ユニットＤＵ１、ＤＵ２、ＤＵ３は第１方向ＤＲ１に配列されるので、ガイド部材ＧＭの厚さが薄くなる。
【０１４３】
先に説明したように、開口部ＯＰがジョイントユニットＪＵの一部のジョイントユニットＪＵに定義されてもよい。例えば、図２で説明されたように、ノーマルモードで表示モジュールＤＭの一部が映像開口部ＩＯＰの１／３に該当する部分を通じて外部に露出される。このような場合、映像開口部ＩＯＰの１／３に該当する部分に配置されたジョイントユニットＪＵは開口部ＯＰを含まず、残りのジョイントユニットＪＵは開口部ＯＰを含むようにすればよい。
【０１４４】
例えば、ノーマルモードで第１部分ＰＴ１は表示パネルＤＰの１／３に該当する部分であり、常に基本的に外部に露出される部分である。したがって、第１部分ＰＴ１は表示パネルＤＰの１／３に該当する部分でそれ以上減少されないため、図３及び図４に図示されたように拡張されることができる。このような場合、ノーマルモードで映像開口部ＩＯＰの１／３に該当する部分に配置されたジョイントユニットＪＵはギヤ部ＧＡＲに移動する必要がないので、開口部ＯＰを含まなくともよい。
【０１４５】
図２０は図１８に図示された表示パネルの上面及びウインドウの下面上に配置された機能性層を示す図面である。図２１は図１８に図示された表示パネルの下面とジョイントユニット各々の表面上に配置された磁性層を示す図面である。
【０１４６】
図２０には巻き出された表示パネルＤＰの所定部分及び巻き出されたウインドウＷＩＮの所定部分が図示された。説明を簡易にするために、ウインドウＷＩＮは表示パネルと離隔されて図示されたが、実質的に、巻き出されたウインドウＷＩＮ及び巻き出された表示パネルＤＰは図１８に図示されたように互いに接触することができる。
【０１４７】
図２１には巻き出された表示パネルＤＰの所定部分及びジョイントユニットＪＵのうち所定の数が図示された。説明を簡易にするために、ジョイントユニットＪＵは表示パネルＤＰと離隔されて図示されたが、実質的に図１８に図示されたように、ジョイントユニットＪＵは巻き出された表示パネルＤＰの下部に接触して表示パネルＤＰを支持する。
【０１４８】
図２０を参照すれば、表示パネルＤＰの上面及び表示パネルＤＰの上面と対向するウインドウＷＩＮの下面上に機能性層ＡＦが配置される。機能性層ＡＦはアンチフィンガープリント（anti-fingerprint）機能性層として定義される。
【０１４９】
機能性層ＡＦは弗素を含む。機能性層ＡＦは表示パネルＤＰの上面及びウインドウＷＩＮの下面に滑らかな表面を提供する。第３方向ＤＲ３を基準にして機能性層ＡＦは数十Åの厚さを有する。
【０１５０】
表示パネルＤＰの上面とウインドウＷＩＮの下面に機能性層ＡＦが提供されない場合、表示パネルＤＰの上面又はウインドウＷＩＮの下面に粒子が吸着されることがある。表示パネルＤＰの上面又はウインドウＷＩＮの下面に吸着された粒子によって表示パネルＤＰの上面及びウインドウＷＩＮの下面が損傷されることがある。
【０１５１】
しかし、本発明の実施形態で、表示パネルＤＰの上面とウインドウＷＩＮの下面に配置された機能性層ＡＦによって、粒子が表示パネルＤＰの上面又はウインドウＷＩＮの下面に吸着されない。したがって、粒子による表示パネルＤＰの上面及びウインドウＷＩＮの下面の損傷を防止することもできる。
【０１５２】
図２１を参照すれば、表示パネルＤＰの下面上に磁性物質ＭＣがコーティングされる。また、ジョイントユニットＪＵの各々の表面上に磁性物質ＭＣがコーティングされることができる。磁性物質ＭＣがコーティングされた層は磁性層ＭＣとして定義される。磁性層ＭＣはフェライト（ｆｅｒｒｉｔｅ）又はネオジム（ｎｅｏｄｙｍｉｕｍ）のような希土類を含むことができる。
【０１５３】
表示パネルＤＰの下面とジョイントユニットＪＵの表面に配置された磁性層ＭＣによって発生された引力によって、表示パネルＤＰがジョイントユニットＪＵに接触することができる。したがって、表示パネルＤＰがジョイントユニットＪＵによって容易に支持されることができる。
【０１５４】
前述したように、ジョイントユニットＪＵは金属物質を含む。したがって、ジョイントユニットＪＵに提供された磁性層ＭＣは省略されてもよい。ジョイントユニットＪＵに提供された磁性層ＭＣが省略されても、金属物質を含むジョイントユニットＪＵは表示パネルＤＰの下面上に配置された磁性層ＭＣによって表示パネルＤＰに接触されることができる。
【０１５５】
図２２乃至図３１は本発明の他の実施形態に係る表示装置のガイド溝及びジョイントユニットの多様な実施形態及び第３駆動ユニットの多様な配置位置を示した図面である。
【０１５６】
説明を簡易にするために、図２２、図２３、図２７、図２８、及び図２９は図１２に対応する内側面図が図示されている。ガイド溝ＧＧ＿１、ＧＧ＿２の構成、ジョイントユニットＪＵ＿１、ＪＵ＿２の構成、及び第３駆動ユニットＤＵ３の配置位置を除外すれば、本発明の他の実施形態に係る表示装置の構成は図１乃至図２０を参照して説明された表示装置ＤＤの構成と同一である。
【０１５７】
したがって、以下、図２２乃至図３１を参照して、ガイド溝ＧＧ＿１、ＧＧ＿２の構成、ジョイントユニットＪＵ＿１、ＪＵ＿２の構成、及び第３駆動ユニットＤＵ３の配置位置が主に説明され、表示装置ＤＤの構成と同一な構成は同一な符号を使用して図示した。
【０１５８】
図２２は本発明の他の実施形態に係る表示装置の第３駆動ユニットの配置を示す図面である。
【０１５９】
図２２を参照すれば、第３駆動ユニットＤＵ３は第２曲線部ＣＶＰ２に隣接するように配置される。図１２で第２駆動ユニットＤＵ２に隣接するように配置された第３駆動ユニットＤＵ３が図２２で第２曲線部ＣＶＰ２に隣接する位置に移動する。したがって、第１及び第２曲線部ＣＶＰ１、ＣＶＰ２及び第１駆動ユニットＤＵ１は第２駆動ユニットＤＵ２と第３駆動ユニットＤＵ３との間に配置される。
【０１６０】
図示していないが、第３駆動ユニットＤＵ３に連結されて巻き取られたウインドウＷＩＮはガイド溝ＧＧの第２延長部ＥＸ２の下部を通過し、第２駆動ユニットＤＵ２の右側を通過し、表示パネルＤＰの上に配置されることができる。
【０１６１】
図２３は本発明の他の実施形態に係る表示装置のガイド溝の構成を示す図面である。図２４乃至図２６は図２３に図示されたガイド溝に配置されるジョイントユニットを示す図面である。
【０１６２】
説明を簡易にするために、図２４乃至図２６にはジョイントユニットＪＵ＿１の側面が図示し、開口部ＯＰは図示しなかった。
【０１６３】
図２３を参照すれば、ガイド溝ＧＧ＿１は第１延長部ＥＸ１、第２延長部ＥＸ２、第３延長部ＥＸ３’、第４延長部ＥＸ４、第１曲線部ＣＶＰ１、第２曲線部ＣＶＰ２’、及び第３曲線部ＣＶＰ３を含む。第１延長部ＥＸ１、第２延長部ＥＸ２、及び第１曲線部ＣＶＰ１は図１２に図示された第１延長部ＥＸ１、第２延長部ＥＸ２、及び第１曲線部ＣＶＰ１と同一である。
【０１６４】
第３延長部ＥＸ３’は第１方向ＤＲ１に延長し、第１延長部ＥＸ１より小さい長さを有し、第２延長部ＥＸ２の下部に配置される。第２曲線部ＣＶＰ２’は第２延長部ＥＸ２の一端の反対端である第２延長部ＥＸ２の他端から第３延長部ＥＸ３’の一端の反対端である第３延長部ＥＸ３’の他端まで曲線形状を有し、延長する。
【０１６５】
第２曲線部ＣＶＰ２’の屈曲の方向は第１屈曲部ＣＶＰ１の屈曲の方向と反対である。第３延長部ＥＸ３’の他端は第２延長部ＥＸ２の他端に隣接する。第３延長部ＥＸ３の一端は第３延長部ＥＸ３の他端より第１駆動ユニットＤＵ１に隣接する。
【０１６６】
第４延長部ＥＸ４は第１方向ＤＲ１に延長し、第１延長部ＥＸ１より小さい長さを有し、第３延長部ＥＸ３’の下部に配置される。第３曲線部ＣＶＰ３は第３延長部ＥＸ３’の一端から第３延長部ＥＸ３’の一端に隣接する第４延長部ＥＸ４の一端まで曲線形状を有し、延長する。
【０１６７】
第３曲線部ＣＶＰ３の屈曲の方向は第１屈曲部ＣＶＰ１の屈曲の方向と同一である。第４延長部ＥＸ４の一端は第４延長部ＥＸ４の一端の反対端である第４延長部ＥＸ４の他端より第１駆動ユニットＤＵ１に隣接する。
【０１６８】
図２４を参照すれば、ジョイントユニットＪＵ＿１の各々は第１、第２、及び第３突出部ＰＲＴ１、ＰＲＴ２’、ＰＲＴ３及び本体部ＢＤＰを含む。第１及び第３突出部ＰＲＴ１、ＰＲＴ３及び本体部ＢＤＰはジョイントユニットＪＵの第１及び第３突出部ＰＲＴ１、ＰＲＴ３及び本体部ＢＤＰと同一である。
【０１６９】
第２突出部ＰＲＴ２’は第３突出部ＰＲＴ３と対称な形状を有する。したがって、ｈ＋１番目のジョイントユニットＪＵの第２突出部ＰＲＴ２’の終端とｈ番目のジョイントユニットＪＵの本体部ＢＤＰの上端との間の間隔は第１間隔ＧＰ１を有する。また、第１方向ＤＲ１に対して、第２突出部ＰＲＴ２’は第３突出部ＰＲＴ３と同一な第１幅Ｗ１を有する。
【０１７０】
図２５を参照すれば、ジョイントユニットＪＵ＿１の両側が第１曲線部ＣＶＰ１及び第３曲線部ＣＶＰ３に配置される時、互いに隣接するジョイントユニットＪＵ＿１の下端の間が第１間隔ＧＰ１より狭くなり、互いに隣接するジョイントユニットＪＵ＿１の上端の間が第１間隔ＧＰ１より広くなる。したがって、ジョイントユニットＪＵ＿１が第１曲線部ＣＶＰ１及び第３曲線部ＣＶＰ３の各々に沿って曲線軌跡を有するように配列される。
【０１７１】
図２６を参照すれば、ジョイントユニットＪＵ＿１の両側が第２曲線部ＣＶＰ２’に配置される時、互いに隣接するジョイントユニットＪＵ＿１の上端の間が第１間隔ＧＰ１より狭くなり、互いに隣接するジョイントユニットＪＵ＿１の下端の間が第１間隔ＧＰ１より広くなる。したがって、ジョイントユニットＪＵ＿１が第２曲線部ＣＶＰ２’に沿って曲線軌跡を有するように配列される。
【０１７２】
ジョイントユニットＪＵ＿１がガイド溝ＧＧ＿１に配置された構成が説明されたが、これに限定されず、ジョイントユニットＪＵ＿１は図１２に図示されたガイド溝ＧＧに配置されてもよい。
【０１７３】
図２７は本発明の他の実施形態に係る表示装置の第３駆動ユニットの配置を示す図面である。
【０１７４】
図２７を参照すれば、ガイド溝ＧＧ＿１は、実質的に図２３に図示されたガイド溝ＧＧ＿１と同一である。また、第３駆動ユニットＤＵ３の配置位置は実質的に図２２に図示された第３駆動ユニットＤＵ３の配置位置と同一である。
【０１７５】
第３駆動ユニットＤＵ３は第２曲線部ＣＶＰ２’に隣接するように配置される。第１、第２、及び第３曲線部ＣＶＰ１、ＣＶＰ２’、ＣＶＰ３及び第１駆動ユニットＤＵ１は第２駆動ユニットＤＵ２と第３駆動ユニットＤＵ３との間に配置される。
【０１７６】
図２８は本発明の他の実施形態に係る表示装置のガイド溝の構成を示す図面である。
【０１７７】
図２８を参照すれば、ガイド溝ＧＧ＿２は第１延長部ＥＸ１、第２延長部ＥＸ２’、第３延長部ＥＸ３”、第１曲線部ＣＶＰ１、及び第２曲線部ＣＶＰ２”を含む。第１延長部ＥＸ１及び第１曲線部ＣＶＰ１は図１２に図示された第１延長部ＥＸ１及び第１曲線部ＣＶＰ１と同一である。
【０１７８】
第２延長部ＥＸ２’は第１延長部ＥＸ１より小さい長さを有し、第１方向ＤＲ１に対して９０°より小さい角度を成し、延長する。第３延長部ＥＸ３”は第１方向ＤＲ１に延長し、第１延長部ＥＸ１より小さい長さを有し、第２延長部ＥＸ２’の下部に配置される。
【０１７９】
第２曲線部ＣＶＰ２”は第２延長部ＥＸ２の一端の反対端である第２延長部ＥＸ２の他端から第３延長部ＥＸ３”の一端の反対端である第３延長部ＥＸ３”の他端まで曲線形状を有し、延長する。第２曲線部ＣＶＰ２”の屈曲の方向は第１曲線部ＣＶＰ１の屈曲の方向と反対である。
【０１８０】
図示しなかったが、第１曲線部ＣＶＰ１及び第２曲線部ＣＶＰ２”に配置されるジョイントユニットは図２４に図示されたジョイントユニットＪＵ＿１である。第１曲線部ＣＶＰ１に配置されるジョイントユニットＪＵ＿１は図２５に図示されたジョイントユニットＪＵ＿１のように配列される。第２曲線部ＣＶＰ２”に配置されるジョイントユニットＪＵ＿１は図２６に図示されたジョイントユニットＪＵ＿１のように配列される。
【０１８１】
図２９は本発明の他の実施形態に係る表示装置の第３駆動ユニットの配置を示す図面である。
【０１８２】
図２９を参照すれば、ガイド溝ＧＧ＿２は実質的に、図２８に図示されたガイド溝ＧＧ＿２と同一である。また、第３駆動ユニットＤＵ３の配置位置は実質的に図２２に図示された第３駆動ユニットＤＵ３の配置位置と同一である。
第３駆動ユニットＤＵ３は第２曲線部ＣＶＰ２”に隣接するように配置される。第１及び第２曲線部ＣＶＰ１、ＣＶＰ２”及び第１駆動ユニットＤＵ１は第２駆動ユニットＤＵ２と第３駆動ユニットＤＵ３との間に配置される。
【０１８３】
図３０及び図３１は本発明の他の実施形態に係る表示装置のジョイントユニットを示した図面である。
【０１８４】
図３０及び図３１を参照すれば、ジョイントユニットＪＵ＿２は第２方向ＤＲ２に延長し、第１方向ＤＲ１に配列される。ジョイントユニットＪＵのようにジョイントユニットＪＵ＿２にも開口部ＯＰが定義される。
【０１８５】
第２方向ＤＲ２を基準にして互いに対向するジョイントユニットＪＵ＿２の両側面上に複数の連結部ＣＮＰが配置される。連結部ＣＮＰによってジョイントユニットＪＵ＿２は互いに回転するように連結される。具体的には、連結部ＣＮＰは複数の連結ユニットＣＵ及び複数のピンユニットＰＩＮを含む。連結ユニットＣＵの各々には第１方向ＤＲ１に離隔された複数の第１ホールＨ１が定義される。
【０１８６】
ジョイントユニットＪＵ＿２の各々は第２方向ＤＲ２にジョイントユニットＪＵ＿２の各々の両側面の各々で突出された突出部ＰＲＴを含む。突出部ＰＲＴはジョイントユニットＪＵ＿２の各々の両側面の各々の中心部に配置される。突出部ＰＲＴは省略されることができる。
【０１８７】
例示的には、図３０及び図３１にはジョイントユニットＪＵ＿２の各々の一側面のみが図示されたが、ジョイントユニットＪＵ＿２の各々の一側面の反対面であるジョイントユニットＪＵ＿２の各々の他側面もジョイントユニットＪＵ＿２の各々の一側面と同一な構造を有する。
【０１８８】
ジョイントユニットＪＵ＿２の各々の両側面の各々には複数の第２ホールＨ２が定義される。第２ホールＨ２は第１方向ＤＲ１に互いに離隔され、第２方向ＤＲ２に延長する。第２ホールＨ２は突出部ＰＲＴを介しての各々１つずつ配置される。
【０１８９】
第１ホールＨ１が第２ホールＨ２に重畳するように連結ユニットＣＵがジョイントユニットＪＵ＿２の両側面上に配置される。互いに隣接する２つのジョイントユニットＪＵ＿２の側面上に１つの連結ユニットＣＵが配置される。ピンユニットＰＩＮが第１及び第２ホールＨ１、Ｈ２に挿入されて、ジョイントユニットＪＵ＿２が互いに回転するように連結される。
【０１９０】
以上、実施形態を参照して説明したが、該当技術分野の熟練された当業者は下記の特許請求の範囲に記載された本発明の思想及び領域から逸脱しない範囲内で本発明を多様に修正及び変更させることができることを理解するべきである。また、本発明に開示された実施形態は本発明の技術思想を限定するためのことではなく、下記の特許請求の範囲及びそれと同等な範囲内にあるすべての技術思想は本発明の権利範囲に含まれることと解釈されなければならない。
【符号の説明】
【０１９１】
ＤＤ：表示装置
ＤＭ：表示モジュール
ＤＰ：表示パネル
ＷＩＮ：     ウインドウ
ＣＳ：ケース
ＧＭ：ガイド部材
ＧＭ１、ＧＭ２、ＧＭ３、ＧＭ４：第１、第２、第３、及び第４ガイド部材
ＤＵ１、ＤＵ２、ＤＵ３：第１、第２、及び第３駆動ユニット
ＧＧ：ガイド溝
ＥＸ１、ＥＸ２、ＥＸ３：第１、第２、第３延長部
ＣＶＰ１、ＣＶＰ２：第１及び第２曲面部
ＲＵ：回転軸ユニット
ＧＡＲ：ギヤ
ＪＵ：ジョイントユニット
ＰＲＴ１：第１突出部
ＰＲＴ２：第２突出部
ＰＲＴ３：第３突出部
ＢＤＰ：本体部
ＯＰ：オープン部
ＣＧ：ガイド溝
【図１】
2020030404.tif 000003
【図２】
2020030404.tif 000004
【図３】
2020030404.tif 000005
【図４】
2020030404.tif 000006
【図５】
2020030404.tif 000007
【図６】
2020030404.tif 000008
【図７】
2020030404.tif 000009
【図８】
2020030404.tif 000010
【図９】
2020030404.tif 000011
【図１０】
2020030404.tif 000012
【図１１】
2020030404.tif 000013
【図１２】
2020030404.tif 000014
【図１３】
2020030404.tif 000015
【図１４】
2020030404.tif 000016
【図１５】
2020030404.tif 000017
【図１６】
2020030404.tif 000018
【図１７】
2020030404.tif 000019
【図１８】
2020030404.tif 000020
【図１９】
2020030404.tif 000021
【図２０】
2020030404.tif 000022
【図２１】
2020030404.tif 000023
【図２２】
2020030404.tif 000024
【図２３】
2020030404.tif 000025
【図２４】
2020030404.tif 000026
【図２５】
2020030404.tif 000027
【図２６】
2020030404.tif 000028
【図２７】
2020030404.tif 000029
【図２８】
2020030404.tif 000030
【図２９】
2020030404.tif 000031
【図３０】
2020030404.tif 000032
【図３１】
2020030404.tif 000033